(57)【要約】【課題】上下の胃腸管を洗浄し、血液や、異物、分泌物、及び糞便を除去することができ、しかも、これと同時に内視鏡的な診断及び治療によって止血や影響物質を除去できる装置を提供する。【解決手段】装置は、管の部分と拡張した端部部分とを有する。管の部分は可撓性であり、端部部分は堅固である。装置は中心にボア孔を有し、ボア孔は、内視鏡の管をゆるく受け入れられるほどに大きく、端部部分は、中心のボア孔と連通してなる、２つの周辺ボア孔とを備えている。中心ボア孔のまわりにはカラーが設けられ、内視鏡の頭部に対して、気密かつ水密であるような、シールを形成する。管はさらに、その近位端の近くに窓孔を備え、管の中間には蛇腹部を備えている。この装置を使用するには、主として、内視鏡を中心ボア孔に滑り入れ、内視鏡の頭部によって、中心ボア孔に、気密及び水密であるシールを形成し、一方の周辺ボア孔には洗浄管を結合し、他方の周辺ボア孔には真空吸引チューブを結合し、内視鏡と装置とを胃腸管に挿入し、器具を手動にて制御して、洗浄及び真空吸引を行う。【選択図】図１
2007501650.tif 000002
【特許請求の範囲】
【請求項１】
胃腸洗浄装置であって、この装置が、
ａ）管状の手段であって、前記管状の手段は、内視鏡の管をゆるく受け入れられる中心ボア孔を有し、前記管状の手段は、近位端を備えてなる可撓性の管部分を有し、胃腸管の中へ滑り入れられるように適合していて、堅固で拡張した端部部分を備え、前記堅固で拡張した端部部分は、前記中心ボア孔に連通すべき内部手段を具備してなる、上記管状の手段と、
ｂ）前記内視鏡の頭部と前記堅固で拡張した端部部分との間に、気密かつ水密であるシールを形成するためのカラー手段と、
ｃ）前記内部手段に管を結合するための結合手段と、
を備えていることを特徴とする胃腸洗浄装置。
【請求項２】
前記管部分はさらに、その近位端の近くに窓孔を備えていることを特徴とする請求項１に記載の胃腸洗浄装置。
【請求項３】
前記管部分はさらに、管の中間に蛇腹部を備えていることを特徴とする請求項１に記載の胃腸洗浄装置。
【請求項４】
前記カラー手段に対して、気密かつ水密であるような、シールを形成するキャップ手段をさらに備えていることを特徴とする請求項１に記載の胃腸洗浄装置。
【請求項５】
前記内部手段は、２つの周辺ボア孔を備えていることを特徴とする請求項１に記載の胃腸洗浄装置。
【請求項６】
前記内部手段は、中空である中心部分を備えていることを特徴とする請求項１に記載の胃腸洗浄装置。
【請求項７】
胃腸洗浄装置であって、この胃腸洗浄装置が、近位端をもった管部分を備え、前記管部分は、可撓性になっていて、胃腸管の中へ滑り入れられるように適合していて、遠位端が前記管部分と一体をなしている、拡張した端部部分と、を備え、前記拡張した端部部分は堅固になっていて、前記管部分には、中心にボア孔が貫通していて、前記中心のボア孔は、内視鏡の管をゆるく受け入れられるほどに大きく、前記拡張した端部部分は、前記中心ボア孔に連通すべき内部手段を具備していて、前記拡張した端部部分は、前記中心ボア孔のまわりの前記遠位端にて、前記内視鏡との間で頭部気密かつ水密であるシールを形成し、管を前記内部手段に結合すべく適合していることを特徴とする胃腸洗浄装置。
【請求項８】
前記管部分はさらに、前記近位端の近くに窓孔を備えていることを特徴とする請求項７に記載の胃腸洗浄装置。
【請求項９】
前記管部分はさらに、管の中間に蛇腹部を備えていることを特徴とする請求項７に記載の胃腸洗浄装置。
【請求項１０】
前記中心ボア孔のまわりの前記遠位端に、気密かつ水密であるような、シールを形成するキャップ手段をさらに備えていることを特徴とする請求項７に記載の胃腸洗浄装置。
【請求項１１】
前記内部手段は、２つの周辺ボア孔を備えていることを特徴とする請求項７に記載の胃腸洗浄装置。
【請求項１２】
前記内部手段は、中空である中心部分を備えていることを特徴とする請求項７に記載の胃腸洗浄装置。
【請求項１３】
胃腸洗浄装置であって、この装置が、
ａ）管の近位端と管の遠位端とを有してなり、胃腸管の中へゆるく滑り入れられる管を備え、前記管は中心ボア孔を備え、前記管の中心ボア孔は、内視鏡の管をゆるく受け入れられるほどに大きくなっているような、上記管と、
ｂ）ハウジングの近位端とハウジングの遠位端とを有してなり、前記ハウジングの近位端に前記管の遠位端が取り付けられ、前記ハウジングは、前記ハウジングの近位端においては前記管と同一の外径をもち、前記ハウジングの遠位端においては前記管に比べて大きな外径をもち、前記ハウジングは、前記管の中央ボア孔に連通すべき内部手段を有しているような上記ハウジングと、
ｃ）前記ハウジングにおける前記ハウジングの中央ボア孔に、環状に取り付けられたカラーであって、前記カラーは、内視鏡の頭部に対して気密かつ水密のシールを形成するようなカラーと、
ｄ）前記ハウジングに取り付けられた取付具であって、管を前記内部手段に結合すべく適合してなる前記取付具と、
を備えていることを特徴とする胃腸洗浄装置。
【請求項１４】
前記管部分はさらに、前記近位端の近くに窓孔を備えていることを特徴とする請求項１３に記載の胃腸洗浄装置。
【請求項１５】
前記管部分はさらに、管の中間に蛇腹部を備えていることを特徴とする請求項１３に記載の胃腸洗浄装置。
【請求項１６】
前記カラーに対して、気密かつ水密であるような、シールを形成するキャップ手段をさらに備えていることを特徴とする請求項１３に記載の胃腸洗浄装置。
【請求項１７】
前記内部手段は、ハウジング中心のボア孔と、前記ハウジングの内部において前記ハウジング中心のボア孔と連通してなる、少なくとも２つの周辺ボア孔とを備え、前記ハウジング中心のボア孔は前記管の中心のボア孔と同一の広がりをもっていることを特徴とする請求項１３に記載の胃腸洗浄装置。
【請求項１８】
前記内部手段は、中空である中心部分を備えていることを特徴とする請求項１３に記載の胃腸洗浄装置。
【請求項１９】
胃腸の洗浄を行うための方法であって、この方法が、
ａ）近位端と、遠位端もった拡張した部分とを備えてなる管部分を備えている器具を提供する段階と、前記管部分は、可撓性になっていて、胃腸管の中へ滑り入れられるように適合していて、前記拡張した端部部分は堅固になっていて、前記器具には、中心にボア孔が貫通していて、前記中心のボア孔は、内視鏡の管をゆるく受け入れられるほどに大きく、前記拡張した端部部分は、前記中心ボア孔に連通すべき内部手段を具備していて、前記拡張した端部部分は、前記中心ボア孔のまわりの前記遠位端にて、前記内視鏡との間で頭部気密かつ水密であるシールを形成し、管を前記内部手段に結合すべく適合しているような上記器具を提供する段階と、
ｂ）まず、内視鏡の管を前記中心ボア孔へと滑り入れて、前記内視鏡の頭部をして、前記中心ボア孔と気密かつ水密のシールを形成せしめる段階と、
ｃ）前記周辺ボア孔のうちのひとつに洗浄管を結合する段階と、
ｄ）前記周辺ボア孔の他方に真空チューブを結合する段階と、
ｅ）前記内視鏡と前記器具とを胃腸管に挿入する段階と、
ｆ）前記内視鏡からの視覚的なフィードバックを用いて、前記器具を手動にて制御して、前記胃腸管の内部の必要な部位にて洗浄及び真空吸引を行う段階と、
を備えていることを特徴とする方法。
【請求項２０】
前記管部分はさらに、その近位端の近くに窓孔を備えていることを特徴とする請求項１９に記載の方法。
【請求項２１】
前記管部分はさらに、管の中間に蛇腹部を備えていることを特徴とする請求項１９に記載の方法。
【請求項２２】
方法がさらに、
ａ）前記遠位端の前記中心ボア孔のまわりに、気密かつ水密であるシールを形成するのに適合してなるキャップを提供する段階と、
ｂ）前記洗浄と真空吸引とをオフにする段階と、
ｃ）前記内視鏡を前記中心ボア孔から取り出す段階と、
ｄ）前記中心ボア孔に前記キャップで栓をする段階と、
ｂ）前記洗浄と真空吸引とをオンにする段階と、
を備えていることを特徴とする請求項１９に記載の方法。
【請求項２３】
前記方法がさらに、
ａ）前記洗浄と真空吸引とをオフにする段階と、
ｂ）前記内視鏡を前記中心ボア孔から取り出す段階と、
ｃ）洗浄管を前記中心ボア孔に取り付ける段階と、
ｄ）前記洗浄と真空吸引とをオンにする段階と、
を備えていることを特徴とする請求項１９に記載の方法。
【請求項２４】
前記方法がさらに、
ａ）前記洗浄と真空吸引とをオフにする段階と、
ｂ）前記内視鏡を前記中心ボア孔から取り出す段階と、
ｃ）真空チューブを前記中心ボア孔に取り付ける段階と、
ｄ）前記洗浄と真空吸引とをオンにする段階と、
を備えていることを特徴とする請求項１９に記載の方法。
【発明の詳細な説明】
【技術分野】
【０００１】
本発明は、経口用の上部内視鏡、及び結腸用の下部内視鏡に関するより詳しくは、本発明は、内視鏡に関連付けられて使用されるもので、胃腸管の洗浄及び吸引を可能とし、もって内視鏡をより安全に、そして臨床的により効果的にするためのものである。
【背景技術】
【０００２】
胃腸管用の可撓性の内視鏡は、１９６０年代後半にまでさかのぼるが、最初は小型のフィルムカメラを用いたものであったが、次には、現場の映像を光ファイバーの束で伝達するものとなり、そして、ビデオチップ技術が全盛期になると、機械的な骨董品から、診断及び治療のための立証された人命救助の装置にまで至った。これまで、診断の評価を越え、外科手術を行うほどではなく物理療法による治療をの対象とみなされていた多くの構造部分、すなわち、食道や、胃、十二指腸、小腸、胆路樹、及び脾臓系統は、今では、胃腸管内視鏡による施術を受けることができる。
【０００３】
内視鏡技術は、各種の治療及び症状の緩和を行うもので、それらには、胃腸管の出血を止血したり、ポリープを除去したり、胆石を取り除いたり、狭窄症を拡張させたり、異物を取り除いたり、胃腸管の閉塞に対して内視鏡でステントを配置したりと、その他の手順の主役として言及するには余りに多すぎる。内視鏡的な治療術では罹患率と死亡率とが低いために、より重篤な、より衰弱した患者に対して、かかる術式を施すことができ、内視鏡治療術の臨床的な有効性は高まっている。
【０００４】
内視鏡による診断及び治療は、胃腸管の治療に多くの新たな選択枝を広げたけれども、それらのいくらかの設計強度は、それらに多くの制約を与えている。内視鏡は、可撓性の管であって、直径は１cm未満であり、一般的には、ひとつの中空のボア孔を貫通させて備えており、これに通して、各種の器具を挿入して、染料や止血剤を注入したり、生検や、ポリープ切除術の取付具を装着したり、止血プローブを通したりする。同時に、このボア孔は、分泌物を吸引するためにも使用される。ボア孔の直径はおよそ２．６〜２．８mmであるから、大型の異物や、血餅化した血液など粘度の高い物質を取り出すためには役立たない。かかる小さなボア孔を用いた場合には、内視鏡の視界を洗浄して、食物や血液、粘液のついた食物の破片、又は異物を除去することは、しばしば不可能である。かかる不都合を解決するためには、大径のボア孔である導管が必要である。内視鏡それ自体を改変して、この不都合を解決することはできないので、代替案として、内視鏡と併用される器具を提供することが良いだろう。
【０００５】
しばしば、診断及び治療に使用される内視鏡を補助すべく、内視鏡に関連させて、ある種の器具が用いられる。近位端が開かれた長くて可撓性の、窓孔を有する管をしばしば用いて、上部胃腸管から血液、食物、異物、及び分泌物を取り除く。こうした物質を除去すべく、かかる装置では、真空吸引装置を用いていると共に、これらの物質の除去を促進するために、重力による流れか圧力装置かのいずれかを用いて、胃腸管に洗浄流体を注入する。この装置は、内視鏡と同時には使用できず、独立的に用いて、上部胃腸管に見当で挿入しなければならない。見当で挿入すると、呼吸器系統に損傷を与えて、時には重篤な結果をもたらす。内視鏡や洗浄管を取り出したり再挿入したり繰り返すと、吐き気を催し、嘔吐や、胃の内容物の誤飲（誤吸入）、及び場合によっては激しい出血をもたらし、これらは重篤な合併症である。咽頭や食道に対して、管の取り出しと再挿入の回数が少ないほど、より好ましい。洗浄と内視鏡検査とを交互に繰り返す工程はさらに複雑化するが、というのは、胃腸管の中での迅速な出血は、しばしば、余りに速く、内視鏡を効果的に使用する部位を清浄に保つのは、余りに難しいことである。洗浄管は、出血部位の視認性を一時的には改善するだろうけれども、洗浄管を取り外した時点から、内視鏡を再挿入する時点までに、出血が続いて、正常な腸構造と、治療処置との両方が問題を生じさせる。洗浄と内視鏡検査とを同時にできるような装置があれば、これらのすべての問題点が解決する。
【０００６】
上部胃腸管から異物を取り除くことは、別の一般的な問題であって、潜在的には重大な結果につながる。異物は、苦痛を生じさせると共に、胃腸管に出血及び障害をもたらす。こうした問題点に対する内視鏡による治療は、内視鏡的な評価と治療を実行する前に又は実行と同時に、頻繁に血液、食物、及び分泌物を除去する必要性によって阻害される。内視鏡的な治療においては、単に、異物の除去、止血、狭窄、及び肥大のための適切な準備と内視鏡技術が必要であるのみならず、胃腸管の内容物の誤飲や、異物が呼吸器樹に入ること、及び十二指腸、胃、食道、及び咽頭の裂傷の防止など、安全面についても考慮しなければならない。この課題の解決を複雑にしている理由は、可撓性のポリマープラスチックの管に内視鏡を通して、異物をこれに通して挿入して除去すれば、周囲の組織構造は保護されるが、今までのところ、内視鏡の機能を実行できると同時に、異物の除去を困難にする血液、食物、及び分泌物を洗い流せるような装置は存在していない。このことは、異物除去の困難さのレベルを高めると共に、除去処置に伴い、誤飲や穿刺など潜在的な合併症の可能性を高める。胃腸管を視認できると同時に、異物を除去できる能力が得られるならば、現在使用されている装置に比べて、著しく有利である。
【０００７】
下部胃腸管（結腸）における出血の処置は、しばしば血液や、粘液、及び糞便によって出血部位が妨げられるために複雑であって、従って下部胃腸管の出血を治療するために治療用の結腸鏡の有効性は厳しく制約される。もしも、血液、分泌物、及び糞便が、結腸鏡の使用中に同時に効果的に除去されるとしたならば、今日に比べて、結腸鏡は、より有効な結腸の診断及び治療の介入装置になるであろう。そして時間は節約され、結腸鏡治療を実行するのに先だって、事前に、経口的に下剤を投与したり浣腸を用いたりして結腸を洗浄して貴重な時間を浪費することを必要とせずに、また、意識レベルが低くて低血圧の患者に対するリスクを高めることもない。代表的な医療センターにおけるロジスティクスでは、より危険を潜在的に伴う血管造影法よりも、内視鏡による介入を好む。
【０００８】
上下の胃腸管を洗浄すると共に、血液、異物、分泌物、及び糞便の除去ができ、同時に、止血及び影響物質の除去すべく、内視鏡による診断及び治療が可能な装置が必要である。装置は、胃腸管の構造に外傷を与えないように保護できると共に、分泌物、血液、及び異物を誤飲しないように呼吸器系統を保護できることが必要である。
この領域においては多数のものが開発されて来た。Ｂｕｒｎｅｒによる米国特許第４，７９５，４２４号は、人体の本来の体腔を制御しつつ潅流する装置に関する。かかる発明は、圧力損失に従い、また、臓器に対応した介入領域における測定値との差圧に従い、圧力ゲージから出力された圧力を示す測定信号を平衡化させるための修正手段を特徴としている。こうした修正手段は、内視鏡の内部ダクトに注入されて流れる流体の流量と、かかるダクトの断面積とを用い、前記差圧に従った修正を行うために適合した、また圧力損失を考慮に入れるために適合した、修正回路を具備する。
【０００９】
これは電気的なシステムになっていて、主として泌尿器用の内視鏡のためにデザインされており、装置内の圧力変化を監視することによって、小さな空間を出入りする流体の流れを監視するものである。これは洗浄装置ではなく、空間を出入りする流体のための圧力監視装置である。この装置は、膀胱や子宮の手術を行うときに、流体流を測定するものであって、血液や、食物の洗浄、構造の拡張や、異物の取り出しと関連するものではない。この装置は測定及び監視用のもので変化を生じさせるものではない。
Ｈａｒｒｉｓによる米国特許第５，０３０，２０２号が開示している洗浄装置は、洗浄流体供給装置と、第１のカテーテルであって、遠位端は動物の子宮内に配置され、近位端は洗浄流体供給源に連通するような前記第１のカテーテルと、第１のカテーテルの近位端に結合される一対の左右対称のカテーテルであって、子宮におけるそれぞれの角状部分に延入する前記カテーテルと、子宮内にカテーテルを配置するカテーテル位置決め手段とから構成されている。第１のカテーテルは、供給と排水との管腔をそれぞれ形成する。左右対称のカテーテルのそれぞれは、供給管腔と子宮の角部それぞれの内部の間を連通させるための各管腔を形成している。洗浄流体供給源は、洗浄流体を加圧して供給するためのポンプを具備する。また、供給源は、流体を収容するための洗浄流体貯蔵タンクを備え、貯蔵された流体の温度を所定範囲に温度維持するためのヒータを備える。妊娠中の子宮に対して、第１のカテーテルの遠位端に排水管を設けて、子宮の深部に到達させる。さらに、真空吸引装置を設けて、洗浄流体を子宮から排出する。必要があれば、洗浄流体供給源は、例えば静脈注射の流体を供給するなど、子宮洗浄という目的以外ためにも用いられる。この装置においては、上部胃腸管にせよ下部胃腸管にせよ、内視鏡と洗浄とを同時に使用できない。いずれも携帯用や使い捨て用のものではない。この装置を用いても、効果的に異物を膨張させたり取り除いたりすることはできない。
【００１０】
Ｖｅｎｎｅｓらによる米国特許第５，６２０，４０８号は、患者の上部消化管に挿入される医療機器を案内すべく受け入れる、内視鏡的な外套管を開示している。内視鏡的な外套管は、患者の口に挿入して保持するための噛み付きブロックを有する。また、内視鏡的な外套管は、患者の上部消化管に挿入され、噛み付きブロックに係合すべき可撓性の保護シースを有している。シースは硬くなった領域を備えていて、シースを通して医療器具が挿入されて患者の消化管に入るとき、患者の咽頭の後部壁を医療器具から隔てさせる。
この管は、内視鏡を保護し、内視鏡が喉を刺激したり嘔吐反応を生じさせないように上気道を保護することによって、ただ単に上部内視鏡を咽頭の直接の制御からバイパスさせる助けのために用いられる。この装置は、短くて、洗浄用に用いるには硬すぎる。洗浄目的のためにシールすることも出来ない。適切に挿入されると、動くことは出来ない。新たな構成による装置は、洗浄、止血、異物除去、及び拡張のためには、役に立たない。この装置では、患者に対して同時に内視鏡と洗浄とを使用することは出来ないので、血液、食物、又はその他の異物の取り出しだけをてきぱきと行うことになる。
Ｏｎｅｄａらによる米国特許第５，８２７，１７７号が開示している内視鏡シース組立体は、細長い可撓性の内視鏡の内部で用いられ、内視鏡による治療及び診断処置中に、内視鏡部分を外部環境から隔離する。シースの組立体は、細長い可撓性の内視鏡管をもつシースと、内視鏡の管に延びる複数の作業ボア孔と、内視鏡管の内部に配置されて作業ボア孔を取り囲む低摩擦で織物の隔離スリーブとから構成される。隔離スリーブは、第１のスリーブ管腔と第２のスリーブ管腔とを備え、その中をそれぞれの作業ボア孔が延びている。隔離スリーブと作業ボア孔との間における摩擦係数は、作業ボア孔自体間の摩擦係数に比べて小さくなっていて、作業ボア孔は摩擦的に互いに隔離され、内視鏡管から隔離され、挿入管から隔離されて、内視鏡の関節に働く抵抗力を低く抑える。
【００１１】
これは、内視鏡による診断及び治療中に、器具の通路となる内視鏡の管内に弾性的で膨張可能なな作業ボア孔を設けた内視鏡にすぎない。この単に改変された内視鏡には上述したのと同じ不都合があって、すなわち、ボア孔は食物や、血餅を取り除くのに不適切であり、堅固な拡張器の通路異物の除去、洗浄と内視鏡的な治療とを同時に行えないことなどの不都合がある。
【００１２】
Ｈａｒｂｅｎによる米国特許第５，８７６，３７９号が開示している内視鏡は、内視鏡の処置を行うために、エラストマーのシースを併用するものである。内視鏡は、本体と、本体から遠ざかるように延びて遠位端部分にて終端する挿入管と、挿入管の遠位端部分に結合されるシース保持具を備え、取り外し可能に、挿入管にシースを保持して、実質的に固定された状態にて、内視鏡処置を行う。シースは、エラストマーの部材であって、半径方向に拡張した状態と収縮した状態との間にて可動になっており、シースは収縮した状態へ向けて付勢されている。シースの保持具は、略Ｃ字形の部材であって、一対の保持タブを互いに間隔を隔てて備え、挿入管の遠位端部分の外面から遠ざかって延びていて、両者の間に作業ボアの保持領域を形成している。保持タブは、シースの遠位端部分に位置決めされ、シースの部分に係合するサイズになっていて、とりわけ内視鏡による処置中に、シースの遠位端部分が、挿入管の遠位端部分に対して、軸線方向に動くことを防ぐ。
【００１３】
この装置は、洗浄装置ではなく、ぴったりとしたエラストマーの膜で被覆して、内視鏡の視認装置を生検用のボア孔の近くに保持するようにした内視鏡である。この装置は、単なる内視鏡管であって、エラストマーのシースで被覆され、２つの部品から構成されているにすぎない。この装置には、今日の内視鏡と同一の欠点があり、つまり、洗浄能力がなく、膨張させたり、異物を取り除いたりする能力もない。
Ｍａａｓｋａｍｐによる米国特許第６，１４９，６３３号が開示している装置は、手術中に体内の空洞内において内視鏡と潅流流体とを用いるもので、潅流流体は主たる経路を経由して吸引キャニスタへと回収され、手術部位からは実質的に一定である吸引及び回収速度が得られ、患者からの潅漑流体の吸収を制限するが、というのは、二股の流路は、内視鏡からのみならず、ドレープを経由して体腔からオーバーフローを受け入れるドレン袋からも吸引キャニスタへつながり、ドレン袋の経路には実質的により大きな流れ抵抗を含んでいる。共通する吸引配管は、内視鏡の配管とドレン袋の配管とに結合され、内視鏡を優位に通り抜ける流れを回収して、かかる経路を通る潅流流体の回収を実質的に一定に維持し、吸引損失の可能性を実質的に解消する。
【００１４】
この装置は、腹腔鏡中で体腔内の流体を計測するものであって、内視鏡とは言えない。この装置は、体腔へ入る流体と体腔から出る流体とを測定し、手術中の患者に流体の過負荷が加わることを防ぐものである。この装置は、胃腸管の出血の洗浄や、構造部分の拡張、及び異物の取り出しとは、まったく関係がない。この装置は、単なる流体監視装置である。
Ｎｅｕｗｉｒｔｈによる米国特許第６，１８７，３４６号が開示している方法及び組成物は、哺乳類動物の体腔の内膜である組織、特に子宮内膜症のネクローシスのためのもので、そのために導入されるアプリケータは、子宮内のカテーテルに結合された第１及び第２のカテーテルを収容してなる子宮鏡を備え、二酸化炭素ガスを加圧して導入して子宮を膨張させ、第１のカテーテルを介して子宮内膜に窒化銀ペーストを送り届け、ペーストが充分な時間だけ保たれるようにすることで、組織の内膜の全体、特に子宮内膜を焼灼し、次に、第２のカテーテルを介して生理食塩水の溶液を子宮に届けて、窒化銀を中和して、子宮腔を洗浄する。
【００１５】
この装置は、２つのボア孔を備えた子宮鏡であって、そのうち片方を用いて窒化銀ペーストを子宮／子宮内膜の内面に塗布し、他方を用いて生理食塩水を流して、窒化銀で治療された領域の中和を行う。この装置は、組織をネクローシスさせ、化学的に焼灼し、焼灼物質を中和すると共に組織を洗浄する。この装置は、内視鏡に付加を行うものではなく、血液や異物の洗浄や、構造の拡張、及び異物の除去を同時に行うものではない。この装置は、一般的なデザインのすべての内視鏡に適合できるものではない。この装置は、前述した胃腸管内視鏡と同一の不都合をもち、すなわち、ボア孔が小さすぎ、可撓性が少なく、異物を取り除いたり、狭窄を拡張させるなどの能力を持たない。この装置は、低流量の装置であって、装置が導入されたキャビティを同時に洗浄しつつ、止血や、生検、及び組織の除去を内視鏡的に実行できる能力はない。すべての異物は、ボア孔を通って戻って、ボア孔を閉じる。変形例としては、子宮から膣へ排出されたばかりの異物は、吸引し、または、膣から受け具にこぼれ出す。流体を肺に吸引する恐れがあるので、これは上部胃腸管に対するオプションにはならない。
【００１６】
Ｂｅｎ−Ｈａｉｍによる米国特許第６，２０３，４９３号が開示している配置可能な内視鏡アタッチメントは、内視鏡の位置を定めるべく内視鏡の管部分に挿入して結合可能なアタッチメントと、アタッチメントに対して自由に位置決めできる１又は複数のセンサであって１又は複数のセンサの位置を定めるものからなる。好ましくは、アタッチメントが内視鏡にしっかりと取り付けられたとき、１又は複数のセンサは、１又は複数のセンサの位置を決定に干渉しないように、内視鏡の要素から離間する。この装置では、内視鏡の表面に磁気位置センサを配置して、腸内におけるセンサの位置を判断する。この装置は、内視鏡による洗浄とは全く無関係であり、治療／介入的な用途とは関係がない。
【００１７】
Ｓｎｏｗらによる米国特許第６，３２２，４９５号が開示している装置では、胃腸への供給管を、患者の腹壁を視覚的に透視して、胃腸の中に直接的に配置する。この装置は、装置を配置する目的のためだけに、装置の近位端を視覚的に位置決めするものである。この装置は、普通の内視鏡と併用されるものでなく、併用する必要もなく、洗浄や、止血、異物除去などの能力はもっていない。
Ｋａｄａｎによる米国特許第６，４２８，５１０号が開示している装置は、単一ポートの診断針式の関節鏡検査法と洗浄を実行するための装置であって、潅流及び吸引のためのバルブを備えたハンドピースと、ハンドピースに取り付けられた診断カニューレとを備える。関節鏡は、ハンドピースと診断カニューレとを貫通し、単一ポートを通してジョイントの内部に入って処置を実行できる。この装置は、カメラを備えた可動のカートと、光源装置と、高解像度モニタとを具備する。空気圧縮機を圧力源として、個別に制御される潅流ポンプを駆動し、潅流流体を潅流ホースからハンドピースへと流しつつ、一方、真空吸引コンソールは、可動カートに取り付けられたキャニスタ内に流体を吸引して収集する。この装置は、生検用のカニューレを備え、これは交換ロッドを用いて、簡単に診断用のカニューレと交換することができる。生検用のカニューレは、一対のピギーバックボアを備え、そのうち片方は、視認、診断、潅流、及び吸引のためのものであり、他方は、生検器具やその他の外科器具を挿入するためのものである。生検器具は、約１mmの薄くて可撓性のシャフトに鉗子が結合され、鉗子の遠位端に設けた顎部を用いて、ジョイント区画内にて、外科手順を実行する。器具の近位端に設けたリングハンドルの構成を用いて顎部を制御する。診断用のカニューレと生検用のカニューレとはいずれも、補助バルブを備えてなる結合部を備え、薬剤や薬物を、ジョイントの区画室に導入すると共に、無菌状態の滑液を取り外す。
【００１８】
この装置は、関節鏡による生検とジョイント空間の洗浄を行うための良くデザインされた装置ではあるけれども、このデザインは、胃腸管を経由して使用すべき洗浄装置としては適合しない。この装置は、拡張や異物除去には使用できない。関節鏡と洗浄装置とは、分割できないものであり、これがため、この装置の構造をいくらスケールアップ（拡大）して用いたとしても、機能的に不都合が生じ、粘液や、血液、食物、及びその他の異物で詰まってしまう。このことは、かかる装置の有効性を害する。
【００１９】
Ｏｎｅｄａらによる米国特許第６，４６１，２９４号が開示している装置及び方法は、内視鏡の組立体に膨張可能な部材を取り囲むように取り付けるもので、使い捨てのシースが開示されている。ひとつの実施形態においては、装置は、可撓性で弾性的な袖口部材を備え、この部材は使い捨てのシースの外面に配置され、密封式かつ固定式にシースカバー素材に結合し、袖口の縁部に膨張可能であるような環状の空間を形成する。そうして形成された膨張可能な部材は、シースの内部の管腔を通って膨張し、シースは内部環状空間に開かれている。別の実施形態においては、環状空間は、別々に膨張する房に分割しても良い。さらに別の実施形態においては、袖口部材は、可撓性で弾性的な部材であって、実質的にドーナツ形になっていて、シースの外面に配置される。さらに別の実施形態においては、膨張可能な部材は、使い捨てにされたシースから余分な長さを切り取ったカバー材料から作っても良い。単一でリエントラントな折り目をシース材料に形成して、縁部を密封式かつ固定式にシースカバー材料に結合して、膨張可能である環状空間を形成する。変形例としては、カバー材料の余分な長さを用いて、二重のリエントラントな折り目をもった部材を形成し、単一及び二重の膨張可能な房をもった膨張可能な部材を構成できる。
【００２０】
この装置は、気管支生検において、気管支内視鏡を適切な位置に保持するための、膨張可能なエラストマーの外側シースである。この装置は、内視鏡による洗浄などとは関係ない。
Ｃａｒｉｌｌｏ，Ｊｒらによる米国特許第６，５２０，９５１号が開示している、単一オペレータが交換する胆路のカテーテルは、共通の遠位側管腔を備えている。胆路カテーテルは、細長いシャフトを備え、近位部分は補助管腔を形成し、遠位部分は共通する案内ワイヤと補助管腔とを形成している。共通の遠位側管腔は、シャフトの遠位部分の輪郭を小さくする。また、細長いシャフトは、近位側案内ワイヤポートを、シャフトの近位端とシャフトの遠位端との間に配置されて設けられ、単一オペレータによる使用を容易にしている。近位側の案内ワイヤポートに隣接してシールが設けられ、ポートを密封している。好ましくは、シャフトは単一の管腔である遠位部分と、２つの管腔をもつ近位部分を備えるのが良い。シャフトにおける単一管腔の遠位部分は、屈曲していて、テーパの付いた又は球面形状である遠位先端部を備える。
【００２１】
【特許文献１】米国特許第４，７９５，４２４号
【特許文献２】米国特許第５，０３０，２０２号
【特許文献３】米国特許第５，６２０，４０８号
【特許文献４】米国特許第５，８２７，１７７号
【特許文献５】米国特許第５，８７６，３７９号
【特許文献６】米国特許第６，１４９，６３３号
【特許文献７】米国特許第６，１８７，３４６号
【特許文献８】米国特許第６，２０３，４９３号
【特許文献９】米国特許第６，３２２，４９５号
【特許文献１０】米国特許第６，４２８，５１０号
【特許文献１１】米国特許第６，４６１，２９４号
【特許文献１２】米国特許第６，５２０，９５１号
【００２２】
この装置は、閉塞のための胆管狭窄のステント治療を施す胆路カテーテルと容易に交換される。この装置は、容易に配置され、交換される。この装置は、内視鏡による洗浄、異物の回収、拡張などとは関係がなく、内視鏡と同時に使用することはできない。
【発明の開示】
【発明が解決しようとする課題】
【００２３】
上述したように、今日使用されている装置は、それぞれに固有の欠点のために、不都合なものである。すなわち、
Ａ）臨床現場で一般的に使用されているすべての内視鏡において利用可能である、唯一のボア孔は、著しく細すぎて、極めて粘度の高い又は大きな固形物を除去することは不可能である。
Ｂ）上部にせよ下部にせよ、可溶性の洗浄流体の注入と、真空吸引装置を用いての該流体の除去とを行いつつ、内視鏡の可視化と胃腸管に対する操作とを同時に行えるような、特に内視鏡に適合した装置は存在しない。
Ｃ）異物、大きな肉塊又は野菜は、洗浄装置を一般的に用いても、除去できない。これらの装置においては、塊が取り除かれている間、内視鏡では可視化できない。
Ｄ）周囲の構造組織（胃腸管及び呼吸器）の損傷の危険を伴わずに、異物が通り抜けるためのシールドされたボア孔を作る、有害な異物を取り除くために用いられる可撓性の管は、洗浄の能力をもたない。
Ｅ）内視鏡を所定位置に配置して又は配置せず、内視鏡と併用される洗浄装置は、未だに生産されていない。
Ｆ）例えばＥ）にて言及したような装置であって、可撓性の又はバルーンの拡張器を用いて、胃腸管の狭窄を拡張させるために使用できるものは存在しない。
Ｇ）下部胃腸管（すなわち結腸）の内視鏡による視認と両立し得る、内視鏡的洗浄装置は存在しない。装置は、ただ単に血液や粘液を胃腸管から取り除くのみならず、内視鏡医師の視覚を妨げるあらゆる糞便を除去できるだろう。
Ｈ）例えばＧ）にて言及したような装置であって、下部胃腸管からガスや流体を吸引するために内視鏡から独立して使用できるものは存在しない。このことは、急性の介入として結腸鏡を用いた一時的な結腸の減圧が頻繁に行われ、腸捻転や腸閉塞などの症状の治療において、極めて重要であるが、長期にわたる減圧はより大きな臨床的効果をもたらすだろう。
Ｉ）癌によって閉じた胃腸管の領域を開くのにレーザ治療を用いる場合にはときとして、焼け焦げた組織が発する煙によって、治療部位の視界が妨げられ、有毒なガスも発生する。内視鏡の真空吸引装置は、悪質なガスを除去し、治療部位を清潔に保つのに役立つ。そうした装置は、現在のところ、利用可能ではない。
【００２４】
上下の胃腸管を洗浄し、血液や、異物、分泌物、及び糞便を除去することができ、しかも、これと同時に内視鏡的な診断及び治療によって止血や影響物質の除去できる装置が開発されることは、内視鏡の分野における偉大な改善であって、消化器系医師が待ち望んでいたニーズを満たすものである。
【課題を解決するための手段】
【００２５】
本発明による装置は、近位端を備えた管部分と、遠位端には、管に結合された拡張した端部部分ないしハウジングを備える。拡張した端部部分は好ましくは、ブロックから作られていて、内視鏡に挿入できるように適合している。管部分は可撓性であり、胃腸管の中へ滑り入れられるように適合していて、拡張した端部部分は堅固になっている。装置は好ましくは、装置を貫通する中心ボア孔を備え、拡張した端部部分は、拡張した端部部分の内部において中心ボア孔と連通してなる、２つの周辺ボア孔を備える。中心ボア孔は、内視鏡の管をゆるく受け入れられるほどに大きくなっている。遠位端における中心ボア孔のまわりにはカラーが設けられ、カラーは、内視鏡の頭部に対して気密かつ水密のシールを形成するように適合している。拡張した端部部分は、周辺ボア孔に配管を結合すべくデザインされてなる取付具を有する。
【００２６】
変形例の実施形態によれば、管は管を貫通する中心ボア孔を有し、拡張した端部部分ないしハウジングは中空になっている。中心ボア孔は、内視鏡の管をゆるく受け入れられるほどに大きくなっている。遠位端にはカラーが設けられ、カラーは、端部部分に、内視鏡の頭部に対して気密かつ水密のシールを形成するように適合している。カラーは、同一のサイズである中心ボア孔を有していて、管を通る中心ボア孔に対して軸線方向に整列されている。また、拡張した端部部分は、中空の中心部分に配管を結合すべくデザインされてなる取付具を有する。
管の近位端には窓孔が設けられる。
この装置を使用するには、まず、内視鏡の管を前記中心ボア孔へと滑り入れて、内視鏡の頭部をして、カラーを通る中心ボア孔と気密かつ水密のシールを形成せしめ、洗浄管にひとつの取付具を結合し、真空チューブを別の取付具に結合し、内視鏡と装置とを胃腸管に挿入し、内視鏡からの視覚的なフィードバックを用いて、装置を手動にて制御して、胃腸管の内部の必要な部位にて洗浄及び真空吸引を行う。
【００２７】
キャップは、カラー手段に対して、気密かつ水密であるような、シールを形成すべく適合している。この場合に、装置を使用するには、洗浄及び真空をオフにし、中心ボア孔から内視鏡を取り出し、カラーにキャップをし、もって中心ボア孔にキャップを設け、洗浄及び真空をオンにする。
変形例としては、装置を使用するには、洗浄及び真空をオフにし、中心ボア孔から内視鏡を取り出し、洗浄又は真空チューブを中心ボア孔に取り付け、洗浄及び真空をオンにして、固体及び液体の除去が可能である大容量の洗浄装置を得る。
【００２８】
本発明のいくつかの目的と利点とを列挙すれば、以下の通りである。
Ａ）血液、食物、及び分泌物、並びにその他の物質から胃腸管から最適に除去できると共に、内視鏡のボア孔を自由なままに残して、診断装置や治療装置としての導管としての主要な役割に用いさせることを可能にする装置を得ること。
Ｂ）内視鏡検査法を実行している間に、可溶性の洗浄流体の注入をし、続いて真空吸引による除去を行うというすべてを同時に実行できる装置を得ること。
Ｃ）異物、大きな肉塊又は野菜を除去できる装置を得ること。
Ｄ）患者の胃腸管や肺系統に対して損傷を与えることなく、胃腸管から有害な異物を取り除くことができる装置を得ること。
Ｅ）内視鏡の有無にかかわらず、使用可能である装置を得ること。
Ｆ）同時に洗浄と内視鏡の検査及び操作が可能であるような、下部胃腸管において使用できる装置を得ること。
Ｇ）下部胃腸管において、内視鏡とは独立して用い、固体、液体、及びガスを除去して、腸捻転や腸閉塞に対する医療治療を行う装置を得ること。
Ｈ）レーザ治療中に、胃腸管からガス、血液、及び分泌物を除去するために使用できる装置を得ること。
本発明のその他の目的及びねらいは、以下の添付図面を参照した好ましい実施形態についての詳細な説明から理解できるだろう。
【発明を実施するための最良の形態】
【００２９】
以下、本発明について、特定の用途のための例示的な実施形態を参照して説明するけれども、本発明はかかる実施形態に限定されるものではない。当業者並びに本願の教示を理解した者は、追加的な変形例、応用例、及びそれらの範囲内の実施形態を認識でき、本発明が効果的である追加的な分野を認識するだろう。
図１〜図７には、本発明の好ましい実施形態１０を示している。本発明１０は、長い管１４から構成され、これに貫通して大径の中心ボア孔１８が設けられている。管１４は、可撓性で、溶媒及び酸に対して抵抗性をもったプラスチックポリマーから作られる。中心のボア孔１８は、内視鏡２６の管２２をゆるく受け入れられるほどに大きくなっている。ゆるくて隙間のある嵌め合いになっているため、内視鏡の管２２とボア孔１８の側部３４との間には充分な空間３０が確保され、洗浄装置を用いて、管１４の近位端３８から胃腸管の中にまで洗浄流体を注入したり、この洗浄流体、及び血液、粘液、粒子などを真空吸引作用によって胃腸管から取り除いたりする。
【００３０】
管１４の遠位端４２はハウジング４６に取り付けられる。ハウジング４６は、硬質の溶媒及び酸に対して抵抗性をもったプラスチックポリマーから作られる。気密及び水密の結合部分が得られるような、何らかの手段の付属品が設けられる。変形例としては、ハウジング４６と管１４とは一体的に製造しても良い。ハウジング４６は、近位端５０においては管１４と同一の直径になっているが、遠位端５４においてはより大きな直径になっている。ハウジング４６には３つのボア孔５８ａ，５８ｂ，６２が貫設されている。大径である中心の孔６２は、近位端５０においては管１４を通る中心ボア孔１８と合致し、遠位端５４においてはゴム製カラー６６にて終端している。このカラー６６は、内視鏡の頭部７０がハウジング４６の内部に完全に前進したとき、気密かつ水密であるシールを提供する。また、カラー６６は、適当なサイズの真空チューブ及び洗浄チューブと、気密かつ水密の関係にて、合致すべくデザインされている。
【００３１】
小径である２つの周辺ボア孔５８ａ，５８ｂは、ハウジング４６の内部において大径の中心ボア孔と連通していて、遠位端５４においては取付具７４ａ，７４ｂにて終端している。管１４を通る大径であるボア孔１８と、ハウジング４６を通る大径であるボア孔６２とは、内視鏡２６の管２２をゆるやかに受け入れられるように適合している。取付具７４ａ，７４ｂは、外部に供給される流体と真空配管とにつなげられるように適合している。
変形例の実施形態としては、管１４は中心ボア孔１８を貫通させて有し、ハウジング４６は中空である中心部分４８を備えている。中心ボア孔１８は、内視鏡の管をゆるく受け入れられるほどに大きくなっている。遠位端５４にはカラー６６が設けられ、内視鏡の頭部７０と共に気密かつ水密であるシールをハウジングに形成させるように適合している。カラー６６は、中心ボア孔６８を有し、この孔は、管１４を通る中心ボア孔１８と同一のサイズであり、これに軸線方向に整列される。また、ハウジング４６は、中空の中心部分４８に管を結合すべくデザインされた取付具７４ａ，７４ｂを有している。
【００３２】
ハウジング４６がその直径について、近位側５０から遠位側５４へと拡張している理由は、取付具７４ａ，７４ｂに配管を取り付けるための余地を残すためである。
可撓性の管１４は、３つの基本領域から作られた独特のものである。第１の最も近位側の領域７８は、滑らかになっていて、管１４の近位端３８から短い距離にわたって、多数の窓孔８２が設けられている。この部分７８は、装置の機能において重要であり、というのは、内視鏡２６が配置されている状態においてさえも、血液、食品、及び固形状異物と、洗浄流体のための、簡易な入口と出口になる。開口部８２を正面及び半径方向に配置することによって、流体が容易に流れられるのみならず、ＧＩの粘膜や外来異物がいくつかの開口部を覆ってしまって、本発明１０の機能を深刻に妨げる見込みが少なくなる。
【００３３】
管１４における第２の部分８６は、アコーディオンの如く蛇腹部になっていて、最適な可撓性と強度との両方を達成し、管１４を屈曲させたり、真空吸引力（負圧）を作用させたりしても、管１４の中のボア孔１８はつぶれることがない。この蛇腹部は、管１４の所望の内径を害さないように構成されている。蛇腹部によって、本発明は、図６に示す如く、ほとんど１８０゜にまで屈曲することができる。
管１４における第３の部分９０は、再び滑らかになっている。
【００３４】
図４に示すように、別個のプラスチックポリマーのカバー９４を、内視鏡との結合カラー６６に取り付ければ、内視鏡２６を所定位置に配置していなくても本発明を使用することができる。カバーは、水密かつ気密のシールが得られるようにデザインされる。
周辺ボア孔７４ａ，７４ｂは、血液、食品、及び破片を真空吸引したり、たとえ内視鏡２６が所定位置になくとも、洗浄流体を注入したりするために使用でき、というのは内視鏡２６が存在しないと、新たに大きな有効ボア孔が、可撓性の管１４とハウジング４６とに生じるためである。
【００３５】
以上の説明によれば、内視鏡と併用され又は単独で使用される、この装置１０のもつ多数の利点は、以下の通り明らかになる。
Ａ）装置１０によれば、内視鏡２６自体がもつ不適切に小径なボア孔を用いなくても、粘性の分泌物や、半固体物、及び液体を除去することができる。
Ｂ）装置１０は、洗浄と内視鏡的な可視化及び治療とを同時に行える、胃腸科の医師にとってこれまでには入手できなかった装置１０を提供する。
Ｃ）この装置１０によれば、今日において可能なサイズに比べ、より大きいサイズの物体を取り除くことができる。
Ｄ）装置を解剖学的な所定位置に保ったまま、装置１０の中を通して、内視鏡２６を取り除いて交換できるので、胃腸管から異物を取り出すとき、周囲の胃腸管構造に対して損傷を与えないための保護シールドが得られる。また、この装置は、上気道を保護して、誤飲した物質が肺に吸入される危険を避ける。
Ｅ）装置１０は、内視鏡がない場合には、異物の洗浄に使用することができる。
Ｆ）改変された形態による装置１０は、結腸鏡検査法に用いることができ、下部胃腸管を可視化すべく、内視鏡による診断及び治療を助けるために、糞便や血液を洗い流すことができる。
この能力をもったものは、装置１０以外には存在しない。
Ｇ）内視鏡の如く配置され、下部胃腸管からガスや流体を吸引すべく内視鏡２６とは独立して使用されるものは、装置１０以外には存在せず、唯一、かかる装置１０だけが、ある種の一般的な異状の処置にとって有用である減圧処置と併せて、内視鏡の診断と治療とを同時になし得る。内視鏡２６による排出及び減圧を用いずに、装置１０を所定位置に残すことができ、これはこれまでには実行不可能な施術であった。
Ｈ）この装置１０は、内視鏡的なレーザー治療と組み合わせることができ、治療の実行と同時に、排煙し、血液、及び焼き切られた組織を取り出す。この能力をもつものは、装置１０以外には存在しない。
【００３６】
胃腸管内視鏡２６と共に本発明を併用するやり方は、新たな治療法のアプローチであるけれども、その概念においては素直なものである。内視鏡２６の近位端を結合カラー６６に通して挿入し、内視鏡２６全体を可撓性の管１４における近位端３８へ向けて前進させる。内視鏡２６を前進させて、内視鏡のハンドル７０における可撓性の部分を、結合カラー６６に対して気密かつ水密に接触させる。洗浄ホースを片方の取付具７４ａに取り付け、真空ホースを他方の取付具７４ｂに取り付けたならば、装置１０の使用準備は完了である。洗浄装置は、重力流のバッグタイプの注入装置でも良いし、オペレータに制御される蠕動式の輸液ポンプでも良い。真空吸引装置は、壁固定の真空ユニットでも、携帯式（Ｇｏｍｃｏ）の真空ポンプでも良い。
【００３７】
装置１０が完成したら、従来のやり方にて、経口的に（上部内視鏡）又は直腸から（結腸鏡）挿入する。内視鏡２６における露出した端部は、内視鏡２６及び本発明１０の両方を導入するための優れた乗り物のようにふるまう。いったん胃腸管の中に前進させたならば（上部食道／括約筋、または、結腸を越えたならば）、本発明１０は容易に、血液、食物、粘液、異物、及び糞便を取り除くために適用できる。粘性の分泌物、半固形物、及び液体の体積が大量である場合には、内視鏡２６を取り外して、結合カラー６６をカバー９４でシールして、内視鏡２６が無い状態において本発明１０を用いる。変形例としては、結合カラー６６を大きな管に結合して、中央のボア孔１８，６２，６８を用いて導入すれば、さらに大量の洗浄流体を導入し、さらに大きな粒状物を真空吸引することができる。
【００３８】
本発明１０は、内視鏡２６のまわりに取り付けて前進させるが、内視鏡２６が所定位置になくても取り出すことはできる。本発明１０は、胃腸管の所定位置に保つことで、内視鏡２６の再挿入は容易になる。引き抜いたり再挿入したりできる能力が重要であるのは、ただ単に大量の洗浄のためばかりではなく、潜在的に危険な物体を取り出したり、胃腸管を直接損傷するような異物を取り出すと共に、肺に吸入して肺を損傷することを防ぐためでもある。本発明１０によって、ほぼ３／４インチの対象物を除去できる。
本発明１０をレーザと共に併用するならば、真空装置によって焼かれた組織から排煙すると共に、血液、粘液、糞便、及び分泌物を除去し、内視鏡医師に鮮明な視界を提供する。排煙のためには、流体の吸引に用いるのと同一の真空吸引装置を用いることができる。
【００３９】
従って、本発明１０によれば、胃腸管に対して内視鏡を用いる際に、いくつかの改善が得られることを読者は理解するだろう。かかるユニークな装置１０は、これまでには現存しないもので、これを用いることによって以下のことが可能になる。
Ａ）血液、食物、及び分泌物、並びにその他の物質から胃腸管から最適に除去できると共に、内視鏡２６のボア孔を自由なままに残して、診断装置や治療装置としての導管としての主要な役割に用いさせることが可能になる。
Ｂ）内視鏡検査法において付随的に使用するならば、内視鏡検査法を実行している間に、洗浄流体の注入し、廃物を除去することが可能になる。
Ｃ）内視鏡を迅速かつ容易に挿入し、胃腸管から、異物、肉や野菜などの食物を取り除くことができる。
Ｄ）胃腸管や肺系統に対して損傷を与えることなく、胃腸管から有害な流体や異物を取り除くことができる。
Ｅ）内視鏡の有無にかかわらず、洗浄のための器具として使用できる。
Ｆ）下部胃腸管（カラー及び下部回腸）において同時に、洗浄と、物質の清掃（血液、糞便、粘液、未消化食物）とを実行しつつ、内視鏡による検査と操作を行うことができる。
Ｇ）下部胃腸管において、内視鏡とは独立して用い、固体、液体、及びガスを除去して、腸捻転や腸閉塞に対する医療治療を行う。
Ｈ）レーザ治療中に、胃腸管からガス、血液、及び分泌物を除去するために使用する。
提案された装置１０が、その他のあらゆる胃腸管洗浄装置に比べてユニークである点は、内視鏡による診断と治療とを同時に実行できることである。本発明による内視鏡的な洗浄装置は、内視鏡的な評価と治療と洗浄とに関して、物理的にも一時的にもいずれにも独立して機能する。両方を同時に行える装置は存在せず、本発明は、内視鏡の有効性と安全性とに大きな利益を提供する。
【００４０】
本発明による装置は、臨床現場において一般的に使用されている上下の内視鏡と併用すべくデザインされている。
従って、本発明１０について、本願においては、特定の用途のための特定の実施形態を参照して説明した。当業者並びに本願の教示を理解した者は、追加的な変形例、応用例、及びそれらの範囲内の実施形態を認識でき、本発明が効果的である追加的な分野を、本発明の範囲内において認識するだろう。
従って、特許請求の範囲は、あらゆるそうした応用例、変形例、及び実施形態を本発明の範囲に包含することが意図されている。
【図面の簡単な説明】
【００４１】
【図１】図１は、本発明を完全に真っ直ぐにして示した側面図である。
【図１Ａ】図１Ａは、本発明の変形例による実施形態について、遠位端部分だけの一部分を示した側面図である。
【図２】図２は、本発明を遠位端から見た図である。
【図３】図３は、本発明を近位端から見た図である。
【図４】図４は、大径の中心ボア孔に栓をするためのプラグを示した端面図である。
【図５】図５は、内視鏡を完全に挿入した状態において、本発明を示した側面図である。
【図６】図６は、内視鏡を完全に挿入した状態において、本発明を１８０゜屈曲させて、本発明の可撓性を例示した図である。
【図７】図７は、図５に示した円形領域についての拡大図である。
【符号の説明】
【００４２】
１０…本発明
１４…可撓性の管
１８…可撓性の管を通るボア孔
２２…内視鏡の管部分
２６…内視鏡
３０…ボア孔の壁面と内視鏡の管との間の空間
３４…ボア孔の壁
３８…可撓性の管における近位端
４２…可撓性の管における遠位端
４６…ハウジング
４８…別の実施形態におけるハウジングの中空の中心部分
５０…ハウジングにおける近位端
５４…ハウジングにおける遠位端
５８ａ，５８ｂ…ハウジングにおける周辺ボア孔
６２…ハウジングを貫通する中心ボア孔
６６…結合カラー
６８…別の実施形態における、結合カラーを貫通する中心ボア孔
７０…内視鏡の頭部
７４ａ，７４ｂ…結合取付具
７８…管の近位部分
８２…窓孔
８６…管における蛇腹部
９０…管の遠位部分
９４…シールキャップ
【図１】
2007501650.tif 000003
【図１Ａ】
2007501650.tif 000004
【図２】
2007501650.tif 000005
【図３】
2007501650.tif 000006
【図４】
2007501650.tif 000007
【図５】
2007501650.tif 000008
【図６】
2007501650.tif 000009
【図７】
2007501650.tif 000010
【国際調査報告】
2007501650.tif 000011